(57)【要約】      （修正有）【課題】本発明は、無線通信装置及びそのアプリケーションを提供することを目的とする。【解決手段】無線通信装置は、送受信モジュール１１０と、充電制御部１２０と、充電制御部１２０に結合される電極１０５と、送受信モジュール１１０及び充電制御部１２０に結合されるアンテナ電極１０１と、充電制御部１２０に結合される電池１３０と、ハウジング１６０と、を含む。ハウジング１６０は、ワイヤレスのイヤホンハウジングである。イヤホンハウジング１６０は、アンテナ電極１０１と、充電電極１０５と、送受信モジュール１１０と、充電制御部１２０と、電池１３０と、を収容する。【選択図】図３Ｂ
2017123653.tif 000002
【特許請求の範囲】
【請求項１】
送受信モジュールと、
充電制御部と、
前記充電制御部に結合される充電電極と、
前記送受信モジュール及び前記充電制御部に結合されるアンテナ電極と、
前記充電制御部に結合される電池と、
ハウジングと、を含むことを特徴とする無線通信装置。
【請求項２】
前記ハウジングは、イヤホンハウジングであることを特徴とする請求項１に記載の無線通信装置。
【請求項３】
前記アンテナ電極は、モノポールアンテナであることを特徴とする請求項１に記載の無線通信装置。
【請求項４】
前記アンテナ電極は、ダイポールアンテナであることを特徴とする請求項１に記載の無線通信装置。
【請求項５】
前記アンテナ電極は、クローズドループアンテナであることを特徴とする請求項１に記載の無線通信装置。
【請求項６】
前記アンテナ電極は、オープンループアンテナであることを特徴とする請求項１に記載の無線通信装置。
【請求項７】
前記アンテナ電極、前記送受信モジュール及び前記充電制御部に結合されるスイッチングモジュールをさらに含むことを特徴とする請求項１に記載の無線通信装置。
【請求項８】
第１送受信モジュールと、第１充電制御部と、前記第１充電制御部に結合される第１充電電極と、前記第１送受信モジュール及び前記第１充電制御部に結合される第１アンテナ電極と、前記第１充電制御部に結合される第１電池と、第１イヤホンハウジングと、を含むマスターイヤホンと、
第２送受信モジュールと、第２充電制御部と、前記第２充電制御部に結合される第２充電電極と、前記第２送受信モジュール及び前記第２充電制御部に結合される第２アンテナ電極と、前記第２充電制御部に結合される第２電池と、第２イヤホンハウジングと、を含むスレーブイヤホンと、を含む無線通信装置であって、
前記第１アンテナ電極及び前記第２アンテナ電極によって、マスターイヤホンは前記スレーブイヤホンに結合されることを特徴とする無線通信装置。
【請求項９】
前記マスターイヤホンは、前記第１アンテナ電極、前記第１送受信モジュール及び前記第１充電制御部に結合されるスイッチングモジュールをさらに含むことを特徴とする請求項８に記載の無線通信装置。
【請求項１０】
前記スレーブイヤホンは、前記第２アンテナ電極、前記第２送受信モジュール及び前記第２充電制御部に結合されるスイッチングモジュールをさらに含むことを特徴とする請求項８に記載の無線通信装置。
【発明の詳細な説明】
【技術分野】
【０００１】
本発明は、無線通信装置及びそのアプリケーションに関するものである。
【背景技術】
【０００２】
近年、電子装置間の無線接続は益々普及し、無線通信技術も発達している。しかしながら、無線電子装置のアンテナの物理的な要求は、無線電子装置の最小化を制限する。また、無線電子装置は、再充電ための電池と電気接点を必要とし、電気接点の設計が小さすぎる場合、ユーザにとって実用的ではない。また、突出した電気接点はショートしやすく外観も悪い。他の例として、アンテナを有する小型の電子装置は、充電電極とアンテナを有限のスペース内に収容しなければならない問題を有し、しかもこの有限なスペース内において、充電電極はアンテナを干渉する。
【先行技術文献】
【特許文献】
【０００３】
【特許文献１】米国公開特許公報「特開ＵＳ２００７０２５５３５０Ａ１号公報（２００７年１１月１日公開）」
【特許文献２】米国公開特許公報「特開ＵＳ２００９０２７４２２６Ａ１号公報（２００９年１１月５日公開）」
【特許文献３】米国公開特許公報「特開ＵＳ２００９０２８５４２６Ａ１号公報（２００１９年１１月１９日公開）」
【特許文献４】米国公開特許公報「特開ＵＳ２０１１００６２９１６Ａ１号公報（２０１１年３月１７日公開）」
【特許文献５】米国公告特許公報「特許番号ＵＳ８２２８１９３Ｂ１号公報（２０１２年７月２４日公告）」
【特許文献６】米国公開特許公報「特開ＵＳ２０１４０２４１５５７Ａ１号公報（２０１４年８月２８日公開）」
【特許文献７】米国公開特許公報「特開ＵＳ２０１６０１１２１４７Ａ１号公報（２０１６年４月２１日公開）」
【特許文献８】米国公開特許公報「特開ＵＳ２０１６０２８６３２３Ａ１号公報（２０１６年９月２９日公開）」
【発明の概要】
【発明が解決しようとする課題】
【０００４】
以上の問題に鑑みて、本発明は無線通信装置及びそのアプリケーションを提供することを目的とする。
【課題を解決するための手段】
【０００５】
上記問題を解決するために、本発明の無線通信装置は、送受信モジュールと、充電制御部と、充電制御部に結合される充電電極と、送受信モジュール及び充電制御部に結合されるアンテナ電極と、充電制御部に結合される電池と、ハウジングと、を含む。
【発明の効果】
【０００６】
本発明の無線通信装置及びそのアプリケーションは、従来の発明と比較して、送受信モジュール、充電制御部、アンテナ電極及び電池が全てケース内にコンパクトに収容されるので、小型の無線通信装置を提供できる。
【図面の簡単な説明】
【０００７】
【図１Ａ】図１Ａは、本発明の実施形態に係る無線通信装置が無線端末と通信している状態を示す図である。
【図１Ｂ】図１Ｂは、本発明の実施形態に係る二つの無線通信装置が無線端末と通信している状態を示す図である。
【図２Ａ】図２Ａは、本発明の実施形態に係る無線通信装置のハウジングがイヤホンのハウジングであることを示す斜視図である。
【図２Ｂ】図２Ｂは、本発明の実施形態に係る無線通信装置のハウジングがイヤホンのハウジングであることを示す背面斜視図である。
【図３Ａ】図３Ａは、本発明の実施形態に係る無線通信装置のブロック図である。
【図３Ｂ】図３Ｂは、本発明の実施形態に係る無線通信装置の分解斜視図である。
【図４Ａ】図４Ａは、本発明の他の実施形態に係る無線通信装置のブロック図である。
【図４Ｂ】図４Ｂは、本発明の他の実施形態に係る無線通信装置の分解斜視図である。
【図５】図５は、本発明の実施形態に係る無線通信装置が、マスターイヤホン及びスレーブイヤホンを含み、マスターイヤホンが無線端末及びスレーブイヤホンと通信している状態を示す図である。
【図６Ａ】図６Ａは、本発明の実施形態に係るクローズドループモノポールアンテナ電極の斜視図である。
【図６Ｂ】図６Ｂは、本発明の実施形態に係るオープンループモノポールアンテナ電極の斜視図である。
【図６Ｃ】図６Ｃは、本発明の実施形態に係るクローズドループダイポールアンテナ電極の斜視図である。
【図６Ｄ】図６Ｄは、本発明の実施形態に係るオープンループダイポールアンテナ電極の斜視図である。
【図７】図７は、本発明の実施形態に係る無線通信装置をワイヤレスイヤホンとした際のブロック図である。
【図８】図８は、本発明の実施形態に係る再充電システムが再充電装置及び充電ケースを備えている際の状態を示すブロック図であり、点線は、再充電装置が充電ケースによって再充電された際の電気接続を示している。
【図９Ａ】図９Ａは、本発明の実施形態に係る再充電システムがワイヤレスイヤホン及び充電ケースを含み、該充電ケースは引出しアセンブリ及び収納箱を備えている状態を示す側面図である。
【図９Ｂ】図９Ｂは、本発明の実施形態に係る再充電システムが２つのワイヤレスイヤホン及び充電ケースを含み、該充電ケースは引出しアセンブリ及び収納箱を備えている状態を示す斜視図である。
【図１０Ａ】図１０Ａは、本発明の実施形態に係るワイヤレスイヤホンが、ドックベースに組み付けられたドック電極に結合される状態を示す斜視図である。
【図１０Ｂ】図１０Ｂは、本発明の他の実施形態に係るワイヤレスイヤホンが、ドックベースに組み付けられたドック電極に結合される状態を示す斜視図である。
【図１１】図１１は、本発明の実施形態に係るワイヤレスイヤホンが、異なる動作状態間で転換された動作状態を示す図である。
【図１２】図１２は、本発明の実施形態に係るワイヤレスイヤホンが、対応する入力モードを介して、異なる動作状態間で転換された動作状態を示す図である。
【図１３】図１３は、本発明の実施形態に係る入力モードが、メディア状態下においてメディア制御機能をトリガーすることを示す図である。
【図１４】図１４Ａは、着信の際に、入力モードによって、電話状態において通話制御機能をトリガーすることを示す図である。
【図１４Ｂ】図１４Ｂは、本発明の実施形態において、発信の際に、入力モードが発信状態下で通話制御機能をトリガーすることを示す図である。
【図１５Ａ】図１５Ａは、本発明の実施形態に係る充電ケースが外部電源接続ポート、第１充電インジケータ及び第２充電インジケータを有していることを示す図である。
【図１５Ｂ】図１５Ｂは、図１５Ａに示す外部電源接続ポート、第１充電インジケータ及び第２インジケータの拡大図である。
【発明を実施するための形態】
【０００８】
本発明において、上述の問題は解決できるが、本発明においてはイヤホンを主な例とする。また当該イヤホンは他の無線通信装置にも適用できる。説明を簡単且つ明瞭にするために、異なる図面において、同じまたは類似する要素は同じ番号で示す。また、本明細書に記載された実施形態を完全に理解できるよう、本明細書中には多くの具体的な詳細が記載されている。しかし、当業者において、本明細書に記載されていない実施形態でも実施できることは周知の事実である。その他の状況下において、本明細書中で説明されている技術的特徴が不明瞭にならないよう、方法、手順及び構成要素は詳細に記載されない。また、図面は必ずしも実物のサイズと同じサイズではなく、細部及び特徴をよりよく説明するために、図面中の特定の部分は拡大して記載されている。本明細書に記載されている内容は、実施形態の範囲に限定されない。
【０００９】
本明細書に記載されている複数の定義について以下に説明する。
【００１０】
用語の「電極」は導電体を指し、且つ電極の形状、材料、または機能により特定の形態に制限されない。用語の「結合」は、接続と定義され、構成要素を介して直接的または間接的に接続されることを含み、必ずしも物理的な接続に限定されるものではない。接続は、対象物間で永久接続される、または解放可能に接続される。またこの接続は、無線周波電磁波を介して無線通信することができる。用語の「含む」は、含むが必ずしも限定されないことを意味し、具体的には、開放式、例えば、関連性、某組み合わせ、グループ、シリーズなどの集合概念の要素を含む。
【００１１】
本発明は、無線通信装置及びそのアプリケーションに関する。
【００１２】
無線通信装置はアンテナ電極、充電電極、送受信モジュール、充電制御部、電池、及びハウジングを含んでもよい。
【００１３】
アンテナ電極は、電池充電器の電極に結合されるアンテナを含む。アンテナ電極は、プリント回路技術、または導電性ワイヤを巻き取る及び／または溶接することによって製造される。さらに、アンテナ電極はアンテナとなる機能を有する。アンテナは、電磁波を電気エネルギーに変換するまたは電気エネルギーを電磁波に変換する電子装置である。電気エネルギー及び電磁波は、通信のために電気信号を転送する。アンテナは、伝送線路を介して送受信モジュールから電気エネルギーを受けて、振動する電磁場を生成して電磁波を送信する。これとは逆に、アンテナは、電磁波を受信して電気エネルギーに変換し、並びに伝送線路を介して電気エネルギーを送受信モジュールに送信する。該電磁波は、特定のアプリケーションのために無線周波を有してもよい。例えば、産業科学医療用（ＩＳＭ）バンドは、通信またはその他の目的のために規定が制限されないよう国際的に割り当てられているバンドである。普及している通信規格は、約２．４ＧＨｚの周波数範囲のブルートゥース（登録商標）やＷｉ−Ｆｉ（登録商標）が含まれる。充電電極は、アンテナ電極を有する電気接点対を形成するのに用いられる。電気接点対は、電池と電池充電器との間の電気接続を提供する。電池は、アルカリ電池、銀電池(Ｓｉｌｖｅｒ  ｂａｔｔｅｒｙ)、空気亜鉛電池、水銀電池或いはリチウム電池等であってもよい。また電池はボタン電池であってもよい。電池は、無線通信装置における電気部品に電気エネルギーを提供することができる。
【００１４】
送受信モジュールは、アンテナに電気信号を送信またはアンテナから電気信号を受信するのに用いられる。送受信モジュールは、伝送線路を介してアンテナに接続され、電気信号を伝送することができる。送受信モジュールは、複数の機能部品を有する集積された電気システムであり、電磁信号を受信し、且つ受信信号をスピーカーのオーディオ信号に処理することに用いられる。電磁信号は、産業科学医療用バンド（ＩＳＭバンド）内の周波数、例えば、２．４ＧＨｚであってもよい。通常、Ｗｉ−Ｆｉ（登録商標）、ブルートゥース（登録商標）、または他の独自のプロトコルは、無線通信モジュールと無線端末との間の通信のために用いられる。送受信モジュールは、プリント回路基板上に集積化されているまたはチップスケールパッケージに集積化されている複数の電気部品を含んでもよい。
【００１５】
充電制御部は、電気特性、例えば充電過程における電流や電圧を調節するのに用いられる。また、充電制御部は、回路の電気過負荷を防止することができる。充電制御部は、充電集積回路とすることもできる。
【００１６】
電池は、イヤホンに電気エネルギーを提供するのに用いられる。当該電池は一次電池または二次電池であってもよい。しかし二次電池は、再充電でき、急速充電でき、充分なエネルギー密度及び安全性を有するのが好ましい。例えば、リチウムイオン電池は、大部分の携帯用電子装置に適している。イヤホンの電池は、小体積で、且つ安定した放電電圧であることを特長とし、イヤホンケース中の電池は大容量であることを特長とする。
【００１７】
図１Ａに示すように、無線通信装置１００は、無線端末３００と通信するのに用いられる。無線通信装置１００は、無線通信を介して無線端末３００と通信するのに用いられる電子装置である。無線通信装置１００は、アンテナ電極、充電電極、送受信モジュール、充電制御部、電池及びハウジングを含んでもよい。電子装置は、ワイヤレスイヤホン、アクティブスタイラスペン、リモートコントローラー、またはポインターであってもよい。本発明において、無線通信装置１００は、アンテナ電極を介してデータを送信または受信し、アンテナ電極及び充電電極を介して電池を再充電することができる。無線端末３００は、データを管理し、且つ無線端末３００の他の電子部品を制御する少なくとも一つのプロセッサと、データを記憶するストレージと、データを無線通信装置１００に送信及びデータを無線通信装置１００から受信するための無線通信モジュールと、を含む。データは、ビデオまたはオーディオファイルのようなマルチメディアファイル、または制御信号であってもよい。無線端末３００は、ワイヤレスストレージ、無線ルータ、無線サーバ、またはオーディオコンテンツを提供する装置であってもよい。
【００１８】
図１Ｂに示すように、無線通信装置１００ａは、他の無線通信装置１００ｂと通信することもできる。無線通信装置１００ａは、アンテナ電極を介して他の無線通信装置１００ｂにデータを送信、または他の無線通信装置１００ｂからデータを受信することができる。一例として、無線通信装置はイヤホンである。無線通信装置１００ａ及び他の無線通信装置１００ｂは、それぞれ無線端末３００から無線通信を介してオーディオデータを受信することができる。また、無線通信装置１００ａは、他の無線通信装置１００ｂに制御信号を送信することができる。これにより、無線通信装置１００ａ、１００ｂは、オーディオデータに応じて音楽や音声を同期して配信することができる。
【００１９】
図２Ａ及び図２Ｂに示す実施形態のように、無線通信装置のハウジングはイヤホンハウジングである。本実施形態の無線通信装置１００はインイヤーイヤホンであり、少なくともアンテナ電極１０１と、充電電極１０５と、送受信モジュールと、スピーカーと、電池と、インイヤーイヤホンのハウジングと、を含む。インイヤーイヤホンは、オーディオコンテンツ提供装置へ無線接続するように構成されている。オーディオコンテンツ提供装置は、オーディオデータを生成または取得し、無線接続を介してオーディオデータを送信することができる。オーディオデータは、マルチメディアデータの音声部分であってもよい。例えば、オーディオデータは、ビデオクリップまたはビデオストリーミングデータの音声部分であってもよい。オーディオデータは、音声や音楽等、記録された音であってもよい。またオーディオデータは、スマートフォンからの音声電話またはビデオ電話、またはメディアセンター、例えば、スマートフォン、テレビ、パーソナルコンピュータ、サウンドシステムからのマルチメディア・プログラムによって生成されてもよい。
【００２０】
図３Ａに示す実施形態のように、無線通信装置は、アンテナ電極１０１と、充電電極１０５と、送受信モジュール１１０と、充電制御部１２０と、電池１３０と、を含む。アンテナ電極１０１は送受信モジュール１１０に結合されて、電気エネルギーを送受信モジュール１１０から受信、または送受信モジュール１１０に送信するのに用いられる。アンテナ電極１０１と充電電極１０５は充電制御部１２０に結合される。充電制御部１２０は、アンテナ電極１０１と充電電極１０５から電気エネルギーを受けて、電池１３０に電気エネルギーを送る。無線通信装置１００が無線端末と通信するために使用されている場合、送受信モジュール１１０は、電気信号をアンテナ電極１０１から受信するまたはアンテナ電極１０１に送信し、アンテナ電極１０１は、電磁波を無線端末から受信または無線端末に送信する。無線通信装置１００が電池１３０を再充電するために使用されている場合、充電制御部１２０は、アンテナ電極１０１と充電電極１０５からの電流を送受信モジュール１１０に流れないようにして、安定的に電池１３０を再充電する。
【００２１】
図３Ｂに示す形態において、無線通信装置はワイヤレスイヤホンである。このワイヤレスイヤホンは、送受信モジュール１１０と、充電制御部１２０と、充電制御部１２０に結合される電極１０５と、送受信モジュール１１０及び充電制御部１２０に結合されるアンテナ電極１０１と、充電制御部１２０に結合される電池１３０と、ハウジング１６０と、を含む。ハウジング１６０はワイヤレスのイヤホンハウジングである。イヤホンハウジング１６０は、アンテナ電極１０１と、充電電極１０５と、送受信モジュール１１０と、充電制御部１２０と、電池１３０と、を収容する。
【００２２】
図４Ａに示す実施形態において、無線通信装置は、アンテナ電極１０１と、充電電極１０５と、送受信モジュール１１０と、充電制御部１２０と、電池１３０と、スイッチングモジュール１５０と、を含む。スイッチングモジュール１５０は、入力信号に応じて電気部品間の電気接続を変更するのに用いられる。入力信号は、電流、電位差、または信号周波数であってもよい。スイッチングモジュール１５０は、電気機械的スイッチ、または集積回路やリレー等のソリッドステートスイッチであってもよい。アンテナ電極１０１は、スイッチングモジュール１５０に結合される。スイッチングモジュール１５０は、無線通信装置が充電過程中か通信過程中かを判断するのに用いられる。充電過程中において、スイッチングモジュール１５０は、アンテナ電極１０１と充電制御部１２０との間の電気接続を可能にし、且つアンテナ電極１０１と送受信モジュール１１０との間の電気接続を阻止する。通信過程中において、スイッチングモジュール１５０は、アンテナ電極１０１と送受信モジュール１１０との間の電気接続を可能にし、電気エネルギーを送受信モジュール１１０から受信、または送受信モジュール１１０に送信し、アンテナ電極１０１と充電制御部１２０との間の電気接続を阻止する。充電電極１０５は充電制御部１２０に結合される。充電制御部１２０は、アンテナ電極１０１と充電電極１０５から電気エネルギーを受信し、電池１３０に電気エネルギーを提供する。無線通信装置１００が無線端末から信号を受信するために使用されている場合、スイッチングモジュール１５０は、アンテナ電極１０１からの無線信号を検知し、無線信号が送受信モジュール１１０に到達することを可能にする。同様に、無線通信装置１００が信号を無線端末に送信するために使用されている場合、スイッチングモジュール１５０は、送受信モジュール１１０からの無線信号をアンテナ電極１０１に到達することを可能にする。無線通信装置１００が電池１３０を再充電するために使用されている場合、スイッチングモジュール１５０は、アンテナ電極１０１と充電電極１０５からの電流を送受信モジュール１１０に流れないようにして、安定的に電池１３０を再充電する。
【００２３】
図４Ｂに示す実施形態のように、無線通信装置はワイヤレスイヤホンである。ワイヤレスイヤホンは、アンテナ電極１０１と、充電電極１０５と、送受信モジュール１１０と、充電制御部１２０と、電池１３０と、スイッチングモジュール１５０と、ハウジング１６０と、を含む。ハウジング１６０は、ワイヤレスのイヤホンハウジングである。イヤホンハウジング１６０は、アンテナ電極１０１と、充電電極１０５と、送受信モジュール１１０と、充電制御部１２０と、電池１３０と、スイッチングモジュール１５０と、を収容する。
【００２４】
図５に示す実施形態のように、無線通信装置は、マスターイヤホン２０１とスレーブイヤホン２０２とを含む一対のイヤホンである。ここで無線端末３００は、オーディオコンテンツ提供装置である。マスターイヤホン２０１は、第１送受信モジュールと、第１充電制御部と、前記第１充電制御部に結合される第１充電電極と、前記第１送受信モジュール及び前記第１充電制御部に結合される第１アンテナ電極と、前記第１充電制御部に結合される第１電池と、第１イヤホンハウジングと、を含む。スレーブイヤホン２０２は、第２送受信モジュールと、第２充電制御部と、前記第２充電制御部に結合される第２充電電極と、前記第２送受信モジュール及び前記第２充電制御部に結合される第２アンテナ電極と、前記第２充電制御部に結合される第２電池及び第２イヤホンハウジングと、を含む。マスターイヤホン２０１は、第１アンテナ電極と第２アンテナ電極を介してスレーブイヤホン２０２に結合されている。
【００２５】
マスターイヤホン２０１は、オーディオコンテンツ提供装置３５０及びスレーブイヤホン２０２と通信することができる。本実施形態において、マスターイヤホン２０１は左イヤホンであり、スレーブイヤホン２０２は右イヤホンである。マスターイヤホン２０１は、オーディオコンテンツ提供装置からのオーディオデータを受信して、スレーブイヤホン２０２にオーディオデータを伝送するのに用いられる。また、双方向オーディオレイテンシ（ｂｉｌａｔｅｒａｌ  ａｕｄｉｏ  ｌａｔｅｎｃｙ）を低減し、音響効果を最適化するために、マスターイヤホン２０１は、スレーブイヤホン２０２に制御信号を送信することができる。マスターイヤホン２０１は、マスターイヤホン２０１とスレーブイヤホン２０２とを同期して、音声再生の遅延を解消することができる。
【００２６】
他の実施形態において、マスターイヤホン２０１は、オーディオのクロスオーバーとして動作して、ステレオオーディオチャンネルをマスターイヤホン２０１とスレーブイヤホン２０２に割り当てることができる。これにより、イヤホンは、オーディオデータの特定部分を再生することができる。複数の実施形態において、マイクロフォンを有するイヤホンは、ステレオオーディオレコーディング（ｓｔｅｒｅｏ  ａｕｄｉｏ  ｒｅｃｏｒｄｉｎｇ）を提供する。ショート信号レイテンシを確保するために、イヤホンセットは、左イヤホンと右イヤホンとの間の無線通信を有する。イヤホンセットは、オーディオコンテンツ提供装置に接続されている。イヤホンセットとオーディオコンテンツ提供装置との間の無線接続、またはイヤホンセットの間の無線接続は、オーディオストリーミングやデータ通信を提供する。オーディオコンテンツ提供装置は、携帯電話、ノートパソコン、テレビ、ビデオゲーム機、またはサウンドシステムでもよい。
【００２７】
アンテナ電極は、モノポールアンテナ、ダイポールアンテナ、クローズドループアンテナ、またはオープンループアンテナとして構成してもよい。アンテナの周囲の長さは、指定された電磁波の波長とマッチするように構成されている。典型的な周囲の長さは、波長または波長の４分の１に等しい。一つの実施形態において、２．４５ＧＨｚの無線信号を受信するために、ループアンテナの周囲の長さは大体３０．５９ミリメートルであってもよい。また、ループアンテナの形状は、円形、楕円形、矩形、または他の幾何学的形状であってもよい。また、伝送線（単数、複数）とアンテナとを接続する給電点は、アンテナの任意の位置に位置するが、図中に示す例に限定されない。
【００２８】
図６Ａ及び図６Ｂに示すように、アンテナ電極１０１は、伝送線路１０３を有するモノポールアンテナであってもよい。図６Ａに示すように、アンテナ電極１０１は、クローズドループアンテナであってもよい。一つの実施形態において、内周の長さは約２０ミリメートル〜３５ミリメートルであり、外周の長さは２５ミリメートル〜４０ミリメートルであるが、この際、外周の長さは内周の長さよりも長い。図６Ｂに示すアンテナ電極１０１は、オープンループアンテナであってもよい。図６Ｃ及び図６Ｄに示すように、アンテナ電極１０１は、二つの伝送線路１０３を有するダイポールアンテナであってもよい。図６Ｃに示すアンテナ電極１０１は、クローズドループアンテナであってもよい。図６Ｄに示すアンテナ電極１０１は、オープンループアンテナであってもよい。一定の作動条件下において、アンテナのインピーダンスは、送受信器モジュールのインピーダンスとマッチすると考えられる。
【００２９】
図７に示す実施形態のように、無線通信装置１００はワイヤレスイヤホンである。ワイヤレスイヤホンは、アンテナ電極１０１と、充電電極１０５と、送受信モジュール１１０と、充電制御部１２０と、電池１３０と、を含む。このワイヤレスイヤホンは、送受信モジュール１１０と、充電制御部１２０と、充電制御部１２０に結合された充電電極１０５と、送受信モジュール１１０及び充電制御部１２０に結合されるアンテナ電極１０１と、充電制御部１２０に結合される電池１３０と、ハウジング１６０と、を含む。アンテナ電極１０１及び送受信モジュール１１０との間のインピーダンスを確保するために、アンテナ電極１０１は、マッチ回路１７３を介して送受信モジュール１１０に結合される。ワイヤレスイヤホン１００が使用されて電池１３０を再充電する場合、アンテナ電極１０１は、バイアスＴ回路１７４を介して充電制御部１２０に結合されて、直流電流を充電制御部１２０に分流する。バイアスＴ回路１７４は、送受信モジュール１１０に高周波電流を分流するために、送受信モジュール１１０に結合されてもよい。複数の実施形態において、バイアスＴ回路１７４は、スイッチングモジュールに取り替えて、このスイッチングモジュールを送受信モジュール１１０に結合することもできる。
【００３０】
さらに、ワイヤレスイヤホンは、マイクロコントローラ１８１と、メモリ（リードオンリーメモリ１８２、ランダムアクセスメモリ１８３）と、デジタルシグナルプロセッサ１８４と、ベースバンドモジュール１８５と、入力／出力装置１８６と、オーディオインターフェイス１８７と、ユーザインターフェイス１７０と、マイクロフォン１４０と、スピーカー１４５と、クリスタルクロック１７５と、保護回路１７６と、を含んでよい。一つの実施形態として、多くの電子部品を無線モジュールのようなプリント回路基板上に埋め込むことで、ワイヤレスイヤホンの大量生産と体積の最小化を容易にする。ユーザインターフェイス１７０は、ユーザ入力を受信するように構成されたボタン１７１及び指示信号を提供するように構成された光インジケータ１７２を含んでもよい。マイクロフォン１４０は、オーディオインターフェイス１８７に結合されて、環境音またはユーザの音声を受信する。オーディオインターフェイス１８７は、周囲のノイズを除去するノイズキャンセル機能を有することができる。これにより、スピーカー１４５は、高品質の音を発信することができる、または特定の周波数範囲の音声、例えば人の音声を増幅することができる。マイクロフォン１４０を有するワイヤレスイヤホン１００は、無線インターコム、補聴器や音声増幅装置として作動することができる。
【００３１】
充電接点は、電子装置の電池エネルギーを回復するのに不可欠な電気インターフェイスである。充電接点は、電子装置を電源に結合するのに用いられる。充電接点を有する電子装置を使用する際、人々は依然として多くの問題に直面する。例えば、殆どの電子装置は、特定の方向に充電ドックを放置し、これにより、電子装置における電池と電池充電器との間の十分な電気接続が形成される。このような方向性の制限は使用に不便であり、ユーザ体験が悪く、さらに充電機能の故障を引き起こす。
【００３２】
再充電システムは、再充電装置及び充電ケースを含む。再充電装置は、電池と、充電制御部と、第１充電接点と、第２充電接点と、装置ハウジングと、を含む。電池は充電制御部に結合され、充電制御部は第１充電接点と第２充電接点に結合される。充電ケースは、電池充電器と、第１ドック電極と、第２ドック電極と、ケースハウジングと、を含んでもよい。電池充電器は、第１ドック電極及び第２ドック電極に結合される。再充電システムが充電過程中において、再充電装置は、第１充電接点、第２充電接点、第１ドック電極、及び第２ドック電極を介して充電ケースに結合され、第１充電接点は第１ドック電極に結合され、第２充電接点は第２ドック電極に結合される。
【００３３】
充電ケースは、再充電装置の電池を再充電するのに用いられる。電池充電器は、電源管理モジュール、電池または外部電源接続ポートを含んでもよい。外部電源接続ポートは外部電源を受けて、電池を再充電するのに用いられる。例えば、外部電源接続ポートは、ユニバーサルシリアルバスポート、またはマイクロＵＳＢポートである。ケースハウジングは、少なくとも一つのドックベース（ｄｏｃｋ  ｂａｓｅ）を含み、再充電装置の装置ハウジングに機械的な接続を提供し、第１ドック電極と第２ドック電極の位置を固定する。第１ドック電極と第２ドック電極は、再充電装置へ電気接続を提供する。ケースハウジングは、さらに装置ハウジングを支持、安定させるために、ドックラック（ｄｏｃｋ  ｒａｃｋ）を含んでもよい。ケースハウジングは、さらに引出しアセンブリと収納箱を含み、ドックベースとドックラックを含む引出しアセンブリは、収納箱に収容されるように構成される。
【００３４】
図８に示すように、充電モジュールは、第１充電接点２５１と、第２充電接点２５２と、第１ドック電極２６１と、第２ドック電極２６２と、充電制御部１２０と、電池１３０と、電池充電器２７０と、を含んでもよい。第１充電接点２５１及び第２充電接点２５２は、充電制御部１２０のカソードまたはアノードに結合される。第１ドック電極２６１及び第２ドック電極２６２は、電池充電器２７０のカソードまたはアノードに結合される。図中の点線は、充電回路が完成した際の第１充電接点２５１と第１ドック電極２６１、または第２充電接点２５２と第２ドック電極２６２における電気接続を示す。
【００３５】
図９Ａに示す実施形態のように、再充電システムは、再充電装置２５０と充電ケース２６０を含む。再充電装置２５０はワイヤレスイヤホンであり、充電ケース２６０は引出しアセンブリ２８１及び収納箱２８６を含む。引出しアセンブリ２８１は、ドックラック２８３とドックベース２８２を含む。再充電装置２５０の装置ハウジングを支持するために、ドックラック２８３はネック部２８４を有する。本実施形態において、ドックラック２８３は、２つの再充電装置２５０に用いられるための２つのネック部２８４を有する。充電ケース２６０は開かれた状態であり、１つのイヤホンは、引出しアセンブリ２８１のドックラック２８３上に配置される。
【００３６】
図９Ｂにおいて、充電ドックは、無方向性のイヤホンの充電ポートに使用することができる無方向性充電ドックである。イヤホンケースは、充電用のＵＳＢポート２７１を有する。充電ドックの電極と充電ポートの電極は、放射状対称に配置されている。この結果、ユーザは、任意の方向にイヤホンを充電ドック上に放置することができる。
【００３７】
図１０Ａに示すように、充電モジュールは、第１充電接点２５１と、第２充電接点２５２と、第１ドック電極２６１と、第２ドック電極２６２と、第３ドック電極２６５と、を含んでもよい。第１ドック電極２６１への電気接続を確保するために、第１充電接点２５１は、スプリングクッションを備えた導電ピンであってもよい。第２充電接点２５２は、第１充電接点２５１の周囲に円形状に構成されている。第１充電接点２５１と第２充電接点２５２との短絡を防止するために、円形の絶縁壁を設置してもよい。また、絶縁壁は機械的支持を提供することができる。これにより、第１ドック電極２６１の位置は第１の充電接点２５１に正確に接触するため、第２充電接点２５２の中心から逸脱しない。第２ドック電極２６２及び第３ドック電極２６５の何れか一つは、第２充電接点２５２と電気的に接続されている。この結果、充電モジュールは、方向に関係なく充電回路を完成させることができる。
【００３８】
図１０Ｂに示すように、充電モジュールは、第１充電接点２５１と、第２充電接点２５２と、第１ドック電極２６１と、第２ドック電極２６２と、電池充電器２７０と、を含んでもよい。第１充電接点２５１は、第１ドック電極２６１への電気接続を確保するために、スプリングクッションを備えた導電ピンであってもよい。第２充電接点２５２は、開口２５８を有する円形の形状に構成されている。第２ドック電極２６２の幅２６８は、第２充電接点２５２の開口２５８に等しいか、またはそれよりも大きい。第１充電接点２５１と第２充電接点２５２との間の短絡を防止するために、円形の絶縁壁を設置してもよい。また、絶縁壁は機械的支持を提供できる。これにより、第１ドック電極２６１の位置は第１充電接点２５１に正確に接触するため、第２充電接点２５２の中心から逸脱しない。第２ドック電極２６２は、第２充電接点２５２と電気的に接続されている。この結果、充電モジュールは、方向に関係なく充電回路を完成させることができる。
【００３９】
ユーザインターフェイスは、ユーザ入力モジュールまたはユーザ出力モジュールであってもよい。ユーザ入力モジュールは、機械的な力によってユーザ入力を受信するように構成されている。一つの実施形態として、ユーザ入力モジュールは、イヤホン本体上に位置するコントロールボタンであってもよい。コントロールボタンは、プッシュボタンまたはトグルスイッチであってもよい。イヤホンの状態をユーザに通知するために、ユーザ出力モジュールは、視覚信号、音声信号または振動信号を送信するように構成されている。一つの実施形態において、視覚出力モジュールは、発光ダイオードであってもよい。一つの実施形態において、スピーカーは、ユーザに通知する機能を有することができる。イヤホンがペアリング状態の場合、スピーカーは、「装置がペアリングされた」という音声メッセージを伝送してもよい。
【００４０】
入力モードは、コントロールボタンのような形態であってもよい。入力モードは、コントロールボタン上に設定されている機械的入力の一定持続時間を含む。本公開内容中において、押すとは、一定の時間内においてコントロールボタンを作動させることと定義される。好ましくは、機械的な力がコントロールボタン上に設定され、且つ下方にある電気回路が接続されている場合、コントロールボタンが作動する。機械的な力がコントロールボタンから解除された場合、コントロールボタンは作動しない。
【００４１】
入力モードは、コントロールボタンの作動及び不作動の一定持続時間の組み合わせである。入力モードは、短時間入力、ダブル入力、長時間入力、非常に長い入力、または極めて長い入力でもよい。一つの実施形態として、短時間入力とは、コントロールボタンが０．５秒よりも短い持続時間作動することを示す。ダブル入力とは、コントロールボタンにおいて短時間入力が二回作動している間に、コントロールボタンの不作動の持続時間、例えば０．５秒間が設定されていることを示す。長時間入力は、コントロールボタンが約２秒作動することを示す。非常に長い入力は、コントロールボタンが３〜４秒の持続時間で作動することを示す。極めて長い入力は、コントロールボタンが６〜７秒の持続時間で作動することを示す。
【００４２】
入力モードは、イヤホンを一つの動作状態から別の動作状態に切り替えることができる。入力モードがマイクロコントローラによって認識されると、イヤホンの状態は特定の動作状態に切り替えることができる。イヤホンの動作状態は、電源オン状態、電源オフ状態、装置のペアリング状態、メディア状態、通話状態であってもよい。電源オフ状態とは、イヤホンの電源が作動していない、または電池エネルギーを確保するための低消費電力の状態を示す。電源オン状態とは、イヤホンがオーディオコンテンツ提供装置と接続が可能である状態を示す。メディア状態とは、イヤホンが、アクティブなマルチメディアアプリケーションを有するオーディオコンテンツ提供装置に接続されている状態を示す。通話状態とは、イヤホンが、電話接続を有するオーディオコンテンツ提供装置からのオーディオデータに接続されている状態を示す。装置のペアリング状態とは、イヤホン装置がオーディオコンテンツ提供装置との接続を検索している状態を示す。
【００４３】
入力モードは、対応する状態下で特定の機能をトリガーすることができる。この機能は、コンテンツの切り換え、音量調整、メディア再生、またはメディア再生の一時停止などのメディア制御機能、または応答、着信拒否、または通話のキャンセルなどの通話制御機能であってもよい。
【００４４】
図１１に示す例のように、イヤホンは一つの動作状態から別の動作状態に切り換えることができる。一つの実施形態において、イヤホンは、電源オフ状態から開始して、装置のペアリング状態、または電源オン状態まで切り替えることができる。電源オン状態のイヤホンは、メディア状態または通話状態に切り替えることができる。メディア状態のイヤホンは、通話状態に切り替えることができ、且つメディア状態に切り替えて戻すこともできる。全ての動作状態が、電源オフ状態に切り換えることができる。
【００４５】
図１２に示す例のように、イヤホンは、入力モードによって一つの動作状態から別の動作状態に切り換えることができる。一つの実施形態において、電源オフ状態のイヤホンは、極めて長い入力によって装置ペアリング状態に切り替えることができる、或いは非常に長い入力によって電源オン状態に切り替えることができる。メディアソースがある際、電源オン状態のイヤホンは、短時間入力によってメディア状態に切り替えることができる。全ての動作状態が、非常に長い入力により電源オフ状態に切り替えることができる。
【００４６】
図１３に示す例のように、入力モードは、メディア状態下でメディア制御機能をトリガーすることができる。このメディア制御機能は、コンテンツの切り替え、音量調整、メディア再生、またはメディア再生の一時停止であることができる。メディアコンテンツが再生可能な状態である場合、またはメディアコンテンツが一時停止された場合、短時間入力は、メディア再生機能をトリガーすることができる。メディアコンテンツが再生されている場合、短時間入力は、メディア再生一時停止機能をトリガーすることができる。メディアコンテンツが再生されている場合、長時間入力は、コンテンツ切り替え機能をトリガーすることができる。このコンテンツ切り替え機能は、メディアコンテンツを次のセクションに変更することができる、またはメディアコンテンツを前のセクションに変更して戻すことができる。例えば、右イヤホンのコントロールボタンに入力される長時間入力は次の曲に変更し、左イヤホンのコントロールボタンに入力される長時間入力は、前の曲に変更する。ダブル入力は、音量を調整するように音量調整機能をトリガーすることができる。例えば、右イヤホンのコントロールボタンに入力されるダブル入力はオーディオの音量を増加し、左イヤホンのコントロールボタンに入力される長時間入力はオーディオの音量を下げる。
【００４７】
図１４Ａ及び図１４Ｂに示す例において、入力モードは、通話状態で通話制御機能をトリガーすることができる。通話制御機能は、応答、着信拒否、通話のキャンセル、及び音量調整であってもよい。着信の場合（図１４Ａを参照）、短時間入力は応答機能をトリガーし、長時間入力は着信拒否機能をトリガーし、ダブル入力は音量調整機能をトリガーする。発信の場合（図１４Ｂを参照）、短時間入力は発信のキャンセル機能をトリガーし、ダブル入力は音量調整機能をトリガーする。
【００４８】
図１５Ａ及び図１５Ｂに示す例のように、充電ケースは、第１充電インジケータ及び第２充電インジケータを有する。一つ実施形態において、イヤホンケースは、充電のために用いられるＵＳＢポートを有する。この充電ケースがＵＳＢワイヤによって電源に接続される場合、イヤホンケースは、充電ドック上にあるイヤホンを備える或いは備えなくてよい。図１５Ｂは、図１５Ａ上に示す点線部の拡大図である。一つの実施形態において、イヤホンケースは充電インジケータを有する。充電インジケータは、ケース充電インジケータ及びイヤホン充電インジケータであってよい。ケース充電インジケータは、「充電していない」、「充電中」、または「充電完了」など、対応する充電状態を表示することができる。イヤホン充電インジケータは、イヤホンの対応する電池状態を表示することができる。
【００４９】
上記に表示された及び上述された実施形態は単なる例に過ぎないため、多くの詳細部分は記載されていない。本発明の構造及び機能の詳細と共に本発明の多くの特徴及び利点が上記の明細書中に記載されているが、本発明は例示的なものに過ぎず、部品の形状、サイズ及び配置は本開示の原理内において変更可能であり、且つ請求項に使用された用語の広義に解釈された意味によって画定された全ての範囲を含む。したがって、上述の実施形態は、特許請求の範囲内で変更できる。
【符号の説明】
【００５０】
１００、１００ａ  無線通信装置  
１００ｂ  他の無線通信装置  
１０１  アンテナ電極  
１０３  伝送線路  
１０５  充電電極  
１１０  送受信モジュール  
１２０  充電制御部  
１３０  電池  
１４０  マイクロフォン  
１４５  スピーカー  
１５０  スイッチングモジュール  
１６０  ハウジング  
１７０  ユーザインターフェイス  
１７１  ボタン  
１７２  光インジケータ  
１７３  マッチ回路  
１７４  バイアスＴ回路  
１７５  クリスタルクロック  
１７６  保護回路
１８１  マイクロコントローラ
１８２  リードオンリーメモリ  
１８３  ランダムアクセスメモリ  
１８４  デジタルシグナルプロセッサ  
１８５  ベースバンドモジュール  
１８６  入力／出力装置  
１８７  オーディオインターフェイス  
２０１  マスターイヤホン  
２０２  スレーブイヤホン  
２５０  再充電装置  
２５１  第１充電接点  
２５２  第２充電接点  
２５８  開口
２６０  充電ケース  
２６１  第１ドック電極  
２６２  第２ドック電極
２６５  第３ドック電極  
２６８  幅  
２７０  電池充電器  
２７１  ＵＳＢポート
２８１  引出しアセンブリ  
２８３  ドックラック  
２８２  ドックベース  
２８４  ネック部  
２８６  収納箱  
３００  無線端末  
３５０  オーディオコンテンツ提供装置  
【図１Ａ】
2017123653.tif 000003
【図１Ｂ】
2017123653.tif 000004
【図２Ａ】
2017123653.tif 000005
【図２Ｂ】
2017123653.tif 000006
【図３Ａ】
2017123653.tif 000007
【図３Ｂ】
2017123653.tif 000008
【図４Ａ】
2017123653.tif 000009
【図４Ｂ】
2017123653.tif 000010
【図５】
2017123653.tif 000011
【図６Ａ】
2017123653.tif 000012
【図６Ｂ】
2017123653.tif 000013
【図６Ｃ】
2017123653.tif 000014
【図６Ｄ】
2017123653.tif 000015
【図７】
2017123653.tif 000016
【図８】
2017123653.tif 000017
【図９Ａ】
2017123653.tif 000018
【図９Ｂ】
2017123653.tif 000019
【図１０Ａ】
2017123653.tif 000020
【図１０Ｂ】
2017123653.tif 000021
【図１１】
2017123653.tif 000022
【図１２】
2017123653.tif 000023
【図１３】
2017123653.tif 000024
【図１４】
2017123653.tif 000025
【図１４Ｂ】
2017123653.tif 000026
【図１５Ａ】
2017123653.tif 000027
【図１５Ｂ】
2017123653.tif 000028